(57)【要約】【課題】記録再生装置を内蔵したデジタル放送受信装置において、記録したコンテンツを再生する際、映像が出力されるまでの時間を短縮することと、コンテンツの先頭から再生することを可能とする。【解決手段】従来の記録再生装置を内蔵したデジタル放送受信装置では、記録したコンテンツを再生する際、まずＰＩＤ情報を抽出するためにＰＩＤフィルタリングが必要でその分、時間がかかる。そこでコンテンツ記録時にＰＩＤ情報を抽出して所定の場所に格納し、コンテンツ再生時にこのＰＩＤ情報を利用することにより、ＰＩＤフィルタによるＰＩＤ情報検出時間を省いて短時間での映像音声出力を可能とする。【選択図】  図１
2008271065.tif 000002
【特許請求の範囲】
【請求項１】
デジタル情報のストリームと、当該ストリームに対応するＰＩＤ情報とを記録し、且つ再生する記録再生部と、
ＰＩＤ情報に基づいて、多重化されたストリームを分離するデマルチプレクサと、
前記デマルチプレクサで分離されたストリームを復号する復号部と、
前記復号部で復号されたデジタル情報を所定の映像フォーマットに処理する映像処理部と、
前記記録再生部に記録されたストリームを再生するとき、当該ストリームに対応するＰＩＤ情報を前記デマルチプレクサに設定するＰＩＤ設定部とを有するデジタル情報再生装置。
【請求項２】
請求項１のデジタル情報再生装置であって、
前記ＰＩＤ設定部は、ストリームを前記デマルチプレクサに出力する前に、当該ストリームに対応するＰＩＤ情報を前記デマルチプレクサに設定するデジタル情報再生装置。
【請求項３】
デジタル情報のストリームからＰＩＤ情報を抽出するＰＩＤ抽出部と、
前記ＰＩＤ抽出部で抽出したＰＩＤ情報に基づいて、多重化されたストリームを分離するデマルチプレクサと、
前記デマルチプレクサで分離されたストリームと、当該ストリームに対応する前記ＰＩＤ抽出部で抽出したＰＩＤ情報とを記録し、且つ前記デマルチプレクサに出力する記録再生部と、
前記デマルチプレクサで分離されたストリームを復号する復号部と、
前記記録再生部に記録されたストリームを前記デマルチプレクサに出力するとき、当該ストリームに対応するＰＩＤ情報を前記デマルチプレクサに設定するＰＩＤ設定部とを有するデジタル情報再生装置。
【請求項４】
請求項３のデジタル情報再生装置であって、
前記ＰＩＤ設定部は、ストリームを前記デマルチプレクサに出力する前に、当該ストリームに対応するＰＩＤ情報を前記デマルチプレクサに設定するデジタル情報再生装置。
【請求項５】
デジタル情報のストリームと、当該ストリームに対応するＰＩＤ情報と、当該ストリームに対応する画角情報とを記録し、且つ再生する記録再生部と、
ＰＩＤ情報に基づいて、多重化されたストリームを分離するデマルチプレクサと、
前記デマルチプレクサで分離されたストリームを復号する復号部と、
前記復号部で復号されたデジタル情報を所定の映像フォーマットに処理する映像処理部と、
前記記録再生部に記録されたストリームを再生するとき、当該ストリームに対応するＰＩＤ情報を前記デマルチプレクサに設定し、且つ、当該ストリームに対応する画角情報を前記映像処理部に設定する設定部とを有するデジタル情報再生装置。
【請求項６】
請求項５のデジタル情報再生装置であって、
前記設定部は、ストリームを前記デマルチプレクサに出力する前に、当該ストリームに対応するＰＩＤ情報を前記デマルチプレクサに設定し、且つ、当該ストリームに対応する画角情報を前記映像処理部に設定するデジタル情報再生装置。
【請求項７】
デジタル情報のストリームと、当該ストリームに対応するＰＩＤ情報とを記録し、且つ再生する記録再生部と、
ＰＩＤ情報に基づいて、多重化されたストリームを分離するデマルチプレクサと、
前記デマルチプレクサで分離されたストリームを復号する復号部と、
前記復号部で復号されたデジタル情報を所定の映像フォーマットに処理する映像処理部と、
前記記録再生部に記録されたストリームを再生するとき、当該ストリームに対応するＰＩＤ情報を前記デマルチプレクサに設定するＰＩＤ設定部と、
前記記録再生部から再生されたストリームから前記映像処理部で抽出された画角情報を、当該ストリームと対応付けて前記記録再生部に記録する画角情報制御部とを有するデジタル情報再生装置。
【請求項８】
請求項１から７のいずれか一項のデジタル情報再生装置であって、
前記記録再生部は、少なくともＰＩＤ情報を記録する不揮発性メモリと、少なくともストリームを記録する着脱式の記録媒体へ記録させる記録媒体制御部とを含むデジタル情報再生装置。
【発明の詳細な説明】
【技術分野】
【０００１】
技術分野は、記録されたデジタル情報による映像コンテンツを再生する装置に関する。
【背景技術】
【０００２】
上記技術分野において、デジタル情報を扱うにあたり、映像や音声等を含むトランスポートストリーム（ＴＳ）のパケットをデマルチプレクス（分離）するために、ＰＩＤ（Packet. Identification）情報を用いる。このＰＩＤ情報に関して、例えば特許文献１には「受信装置において、より詳細なコンテンツデータのフィルタリング」を目的として、「コンテンツデータのアクセス単位の先頭にコンテンツ情報識別子が付加された形式のデータストリームを受信し、従来のＰＩＤによるフィルタリング機能に加えて、コンテンツ情報識別子によるフィルタリング機能を新たに追加する。コンテンツデータと多重されて送られる識別子解釈データを受信し、識別子解釈データ記録部に記録する。コンテンツフィルタリング部では識別子解釈データ記録部に記録された識別子解釈データを基に、要求された情報を含むコンテンツデータをフィルタリングする」技術的思想が開示されている。
【０００３】
【特許文献１】特開２００２−１９８９２５公報
【発明の開示】
【発明が解決しようとする課題】
【０００４】
ＰＩＤ情報を得る為には、まず最大１００ｍｓ間隔で送信されてくるＰＡＴ（Program Association Table）情報を検出する。ＰＡＴにはプログラム番号に対応したＰＭＴ（Program Map Table）のＰＩＤが記載されている。次に最大１００ｍｓ間隔で送信されてくるＰＭＴ情報を検出する。ＰＭＴには所望のプログラムに含まれる映像、音声、付加データおよびＰＣＲ（Program Clock Reference）のＰＩＤが記述されている。これにより検出された所望のＰＩＤに該当した映像パケットと音声パケットを抽出し、それらを後段のＭＰＥＧデコーダでデコードすることによって、映像音声の出力を実現する。
【０００５】
しかし、所望の映像音声のＰＩＤを検出するまでは、映像パケットと音声パケットとをそれぞれ抽出することができない。映像パケットと音声パケットを抽出できないと、後段のＭＰＥＧデコーダに映像パケットと音声パケットを渡すことができないのでそれらのコンテンツを再生できない。つまりＰＩＤを検出するまでにＰＡＴやＰＭＴの検出が求められ、時間が掛かってしまう。この点は、特許文献１でも同様である。
【課題を解決するための手段】
【０００６】
そこで、コンテンツを再生するときに映像出力されるまでの時間を短縮する装置又は方法を提供する。
【０００７】
例えば、コンテンツを記録するときにＰＩＤを抽出してコンテンツとは別に格納し、再生するときにはこの別に格納したＰＩＤを参照する。
【０００８】
また、コンテンツを記録するときに画角情報を抽出してコンテンツとは別に格納し、再生するときにはこの別に格納した画角情報を参照してもよい。
【発明の効果】
【０００９】
上記手段によれば、再生時に行っていたＰＩＤのフィルタリング処理及び／又は画角情報の分析を経ずとも再生することが可能になる。これにより、再生時の映像音声出力までの時間が短縮される。また、コンテンツの先頭から再生することの処理も容易となる。
【発明を実施するための最良の形態】
【００１０】
本発明に好適な実施形態の例（実施例）を図面を参照しながら説明する。ただし、本発明は本実施例に限定されない。また複数の実施例を組合せることもできる。
【実施例１】
【００１１】
図１は、ＰＩＤ情報を管理制御可能で且つコンテンツの記録再生機能を有したデジタル放送受信装置の構成例を示すブロック図である。
【００１２】
このデジタル放送受信装置では、例えば同軸ケーブルからデジタル放送信号が受信装置入力１として入力される。受信装置に入力された信号はフロントエンドＡ（第１受信部、第１復調部）２に供給され、入力された信号から所望の物理チャンネルが選局され、復調される。フロントエンドＡ２から出力された信号は、ＰＩＤフィルタリング部４に供給され、ＰＩＤ情報が検出され、出力される。ＰＩＤフィルタリング部より出力された信号はデマルチプレクサ（分離部）５に供給される。
【００１３】
デマルチプレクサ５に供給された信号は映像データ、音声データなどに分離され、それぞれがＭＰＥＧデコーダ（復号部）６に供給される。ＭＰＥＧデコーダ６では、符号化された映像データと音声データを復号し、それぞれを映像信号と音声信号として出力する。
【００１４】
ＭＰＥＧデコーダ６から出力された映像信号は映像信号処理部（スケーラ）７に供給され、所定の映像フォーマット（映像形式）として表示装置１２に出力される。所定の映像フォーマットとは、例えば映像信号や表示装置１２に合わせて画角や画質などを調整すること等を含む。ＯＳＤ画面を重ねる処理も含めてもよい。
【００１５】
デジタル放送受信装置は、表示装置（表示出力装置、ディスプレイ）１２およびスピーカ（音声出力装置）１３を含むテレビジョンセットであってもよいし、表示装置１２とスピーカ１３とに接続するレコーダなどであってもよい。
【００１６】
フロントエンドＡ２、ＰＩＤフィルタリング部４、デマルチプレクサ５、ＭＰＥＧデコーダ６、映像信号処理部７は制御部９によって制御される。また図１では、バックエンドＬＳＩ１０に、制御部９とＰＩＤフィルタリング部４とデマルチプレクサ５とＭＰＥＧデコーダ６と映像信号処理部７が含まれる構成を一つの例として示している。ただし複数のＬＳＩに分かれて実現されてもよいし、一部がソフトウェアで実現されてもよい。なお制御部９のうち、後述するＰＩＤ情報をデマルチプレクサ５に設定する部位を特にＰＩＤ設定部、画角情報を映像信号処理部７に設定する部位を特に画角情報設定部、両者を総称して設定部とも呼ぶ。
【００１７】
以上は、受信したテレビ番組を記録と無関係に視聴するときの動作例である。
【００１８】
（録画時の動作例）
次に受信したテレビ番組を録画するときの動作例について述べる。デマルチプレクサ５から出力されたＭＰＥＧストリームは記録再生部１１で記録される。このときコンテンツと一緒に前記ＰＩＤフィルタリング部４で抽出した当該ＰＩＤ情報を記録再生部で記録媒体の特定の領域（ＰＩＤ記録領域ともいう）に、ＭＰＥＧストリームに含まれるＰＩＤ情報とは別に記録する。記録再生部１１で記録再生する記録媒体の例として、受信装置内蔵のＨＤＤや着脱可能なＨＤＤとしてｉＶＤＲ、Ｂｌｕ-ｌａｙディスクまたはＤＶＤ、フラッシュメモリ等が挙げられる。記録再生部１１は記録媒体に対して記録再生を制御する部（記録再生制御部）であって記録媒体を含まずともよいが、以下では説明を簡略化するために記録再生部に記録媒体に含むものとして説明する。なお、記録再生部１１がｉＶＤＲに記録する場合には、規格で定められた方法且つ領域にＰＩＤ情報を格納する。
【００１９】
図６は、記録再生部１１に記録されたコンテンツ１（テレビ番組１）とコンテンツ２のデータ構成の概要例を示す。コンテンツの映像ストリームや音声ストリームに対応付けて、これらから抽出されたＰＩＤ情報が記録されている。図６のように領域が隣接されて記録されている必要はなく、むしろＰＩＤ情報を記録する特定の領域を記録再生部１１（記録媒体）に設けておく方が、以下に説明する再生時のＰＩＤ情報の読込が早くなるため望ましい。
【００２０】
（再生時の動作例）
録画したコンテンツ（テレビ番組）の再生時の動作例について述べる。ユーザが或るコンテンツの再生コマンドを例えばリモコン操作で送信した場合、制御部９は記録再生部１１のコンテンツに対応した、特定領域に格納されているＰＩＤ情報をデマルチプレクサ５に対して設定する。
【００２１】
記録再生部１１から出力されたストリームはデマルチプレクサ５に供給される。デマルチプレクサ５は特定領域から設定されたＰＩＤ情報に従ってデマルチプレクサ５に供給されたストリームは映像や音声に分離され、ＭＰＥＧデコーダ６でデコードされ、映像信号は映像信号処理部７に供給され、音声信号はスピーカ１３に対して出力される。記録再生部１１からＰＩＤフィルタリング部を経由してでマルチプレクサ５に入力する必要がない。このため、コンテンツを再生するまでの時間が短縮化される。また、コンテンツの最初から映像と音声との同期をとることが容易になる。
【００２２】
なお、ＰＩＤ情報をデマルチプレクサ５に設定するタイミングは、記録再生部１１からデマルチプレクサ５にストリームが入力されるまでのタイミングが一例であるが、記録再生部１１でストリームを読み出す迄であっても、デマルチプレクサ５に入力されて分離される迄であってもよい。
【００２３】
また、デマルチプレクサ５は受信したストリームの分離と、記録再生部１１から出力したストリームの分離とを両方行う例を示しているが、受信したデジタル放送のデマルチプレクサ以外に記録再生部１１から出力されたストリームを分離するデマルチプレクサが別に設けられていてもよい。
【００２４】
映像信号処理部７で画角などが設定され、ＯＳＤ重ね合わせ等の映像加工処理が完了すると、表示装置１２に対して出力される。
【００２５】
以上から、再生時にはＰＩＤ情報を予めデマルチプレクサ５に設定することでＰＩＤフィルタリング処理を省くことができ、その結果、効果として再生画の出力までの時間短縮と再生コンテンツの先頭から映像を出力することが実現できる。
【実施例２】
【００２６】
図２は、デジタル放送受信装置の別の構成例を示すブロック図である。図１に加えてフロントエンドＢ３を有する。フロントエンドが二つになった効果として、番組視聴中の同時録画や裏番組録画、タイムシフト再生などが可能となる。本実施例ではフロントエンドを二つとしたが、更に複雑な操作を実現する為にフロントエンドの数を増やしてもよい。
【実施例３】
【００２７】
図３は、デジタル放送受信装置の別の構成例を示すブロック図である。図１に加えて画角情報制御部８を有する。デジタル放送信号が受信装置入力１として入力されてからフロントエンドＡ２、ＰＩＤフィルタリング部４、デマルチプレクサ５、ＭＰＥＧデコーダ６、映像信号処理部７での処理までは実施例１と同様である。
【００２８】
実施例３では更に、映像信号処理部７では画角情報を抽出し、これを画角情報制御部８に供給する。
【００２９】
フロントエンドＡ２、ＰＩＤフィルタリング部４、デマルチプレクサ５、ＭＰＥＧデコーダ６、映像信号処理部７、画角情報制御部８は制御部９０によって制御される。また図３では、制御部９０とＰＩＤフィルタリング部４とデマルチプレクサ５とＭＰＥＧデコーダ６と映像信号処理部７と画角情報制御部８を有する、バックエンドＬＳＩ１００を一つの例として示している。
【００３０】
以上は、テレビ番組視聴時の動作例である。
【００３１】
テレビ番組録画時の動作例は、実施例１と同様である。
【００３２】
次にテレビ番組録画したコンテンツの再生時の動作例について述べる。実施例１と比較して、実施例３では更に以下の動作が加わる。
【００３３】
映像信号処理部７では供給された映像信号より画角情報が抽出され、この情報も記録再生部１１にコンテンツと対応付けされて格納される。従って再生時には、デマルチプレクサ５へのＰＩＤ情報の設定と共にこの画角情報も画角情報制御部８を介して映像信号処理部７に供給され、画角が設定される。なお、画角情報は例えば、HD放送信号において４：３の映像サイズのコンテンツであることを識別する情報を含む。映像信号処理部７では設定された画角を用いて、ＯＳＤ重ね合わせ等の映像加工処理を完了すると、表示装置１２に対して出力する。
【００３４】
画角情報を映像信号処理部７に設定するタイミングは、記録再生部１１からデマルチプレクサ５にストリームが入力されるまでのタイミングが一例であるが、記録再生部１１でストリームを読み出す迄であっても、映像信号処理部７に入力されて映像処理が施される迄であってもよい。
【００３５】
なお、図３の構成ではデマルチプレクサ５から記録再生部１１に出力して記録するようにしており、映像信号処理部７を介さないため、コンテンツを最初に記録するときには画角情報を記録しない。このコンテンツを再生するときに画角情報を映像信号処理部７で抽出して画角情報制御部８により記録再生部７に記録して、２回目以降の再生にこの記録した画角情報をコンテンツの再生前に映像信号処理部７に設定する。
【００３６】
図７は、記録再生部１１に記録されたコンテンツ１とコンテンツ２のデータ構成の概要例を示す。コンテンツの映像ストリームや音声ストリームに対応付けて、これらから抽出されたＰＩＤ情報が記録されている。また、コンテンツ１は記録後に一度再生されたものであるため、画角情報も記録されている。図６のようにＰＩＤ情報と画角情報の領域が隣接されている必要はなく、むしろＰＩＤ情報を記録する特定の領域、画角情報を記録する特定の領域を記録再生部１１（記録媒体）に設けておく方が、再生時のＰＩＤ情報と画角情報の読込が早くなるため望ましい。ＰＩＤ情報と画角情報とをそれぞれ個別の特定の領域に記録するか、一緒に特定の領域に記録するかは任意である。
【００３７】
なお、記録時に敢えて映像信号処理部７までコンテンツを送って画角情報を抽出して、画角情報を記録するようにしても、一回目の再生時から画角情報を事前に設定できるのでよい。
【００３８】
このように再生時にはＰＩＤ情報を予めデマルチプレクサ５に設定することでＰＩＤフィルタリング処理を省くことができ、これによって再生画の出力までの時間短縮と再生コンテンツの先頭から映像を出力することが可能となる。更に画角情報も再生時に予め映像信号処理部７に設定することにより、画角情報抽出処理時間を省くことができるため、再生画の出力までの更なる時間短縮が可能となる。
【実施例４】
【００３９】
図３は、デジタル放送受信装置の別の構成例を示すブロック図である。図３に加えて、図４では図２同様にフロントエンドＢ３を有する。
【００４０】
図３に比べ例えば、一つの番組（コンテンツ）を視聴と同時に録画もすることができるため、番組を表示装置１２へ出力する際に抽出した画角情報を録画する番組に対応付けて記録することができる。その結果、記録した番組を最初に再生するときから、画角を映像信号処理部７に事前設定できる。本実施例ではフロントエンドを二つとしたが、更に複雑な操作を実現する為にフロントエンドの数を増やしてもよい。
【実施例５】
【００４１】
図５はデジタル放送受信装置の別の構成例を示すブロック図である。図４と比べ、図５ではＰＩＤ情報および画角情報の格納場所を受信装置内蔵の不揮発性メモリ１４としている。記録再生部１１とは別の格納場所として不揮発性メモリ１４を使用するに当たり、記録再生部１１のコンテンツと不揮発性メモリ１４のＰＩＤ情報及び／又は画角情報とが対応付けされる。この対応付けには、例えばコンテンツの記録日時情報やコンテンツのＩＤを用いることができる。
【００４２】
本実施例５では、例えばＰＩＤ情報及び／又は画角情報を追記のできない記録媒体（Ｂｌｕ−ｒａｙディスクＲＯＭやＤＶＤ―ＲＯＭなどのように物理的に記録できない場合だけでなく、コンテンツを記録した装置を製造したメーカの記録フォーマットの都合により追記できない場合も含む）に対しても、適用可能となる。すなわち、再生時の映像出力までの時間を短縮することが実現できる。
【００４３】
なお、図５では、二つのフロントエンド、画角情報制御部を使用しているが、実施例１のように一つのフロントエンド且つ画角情報制御部を使用しない場合でもＰＩＤ情報を格納する手段として不揮発性メモリ１４が利用可能である。また、不揮発性メモリ１４と記録再生部１１とを総称して、記録再生部とも呼ぶ。また記録再生部を記録部と再生部とに分けてもよい。
【図面の簡単な説明】
【００４４】
【図１】デジタル放送受信装置の構成例を示すブロック図である。（実施例１）
【図２】デジタル放送受信装置の構成例を示すブロック図である。（実施例２）
【図３】デジタル放送受信装置の構成例を示すブロック図である。（実施例３）
【図４】デジタル放送受信装置の構成例を示すブロック図である。（実施例４）
【図５】デジタル放送受信装置の構成例を示すブロック図である。（実施例５）
【図６】記録されたコンテンツとＰＩＤ情報のデータ構成例を示す概要図である。（実施例１）
【図７】記録されたコンテンツとＰＩＤ情報のデータ構成例を示す概要図である。（実施例３）
【符号の説明】
【００４５】
１：受信装置入力、２：フロントエンドＡ、３：フロントエンドＢ、４：ＰＩＤフィルタリング部、５：デマルチプレクサ、６：ＭＰＥＧデコーダ、７：映像信号処理部、８：画角情報制御部、９：制御部、９０：制御部、１０：バックエンドＬＳＩ、１００：バックエンドＬＳＩ、１１：記録再生部、１２：表示装置、１３：スピーカ、１４：不揮発性メモリ
【図１】
2008271065.tif 000003
【図２】
2008271065.tif 000004
【図３】
2008271065.tif 000005
【図４】
2008271065.tif 000006
【図５】
2008271065.tif 000007
【図６】
2008271065.tif 000008
【図７】
2008271065.tif 000009